(57)【要約】  【課題】組み立てに多くの時間と手間、コストを費やすことなく、シールドケースの機器への取り付け、取り外し作業を容易に行えるようにすることを目的とする。  【解決手段】シャーシにシールドケースを取り付けるシールドケースの取り付け構造において、前記シールドケースに穴部を設けるとともに、前記シャーシに当該穴部と係合する突出部を設け、当該突出部と前記穴部の係合により前記シャーシが前記シールドケースを保持すること特徴とする。  【選択図】  図５ 
2005228902.tif 000002
【特許請求の範囲】
【請求項１】
シャーシにシールドケースを取り付けるシールドケースの取り付け構造において、
前記シールドケースに穴部を設けるとともに、前記シャーシに当該穴部と係合する突出部を設け、当該突出部と前記穴部の係合により前記シャーシが前記シールドケースを保持すること特徴とするシールドケースの取り付け構造。
【請求項２】
前記シールドケースに第１係止部を設けるとともに、前記シャーシに前記第１係止部と係合する第２係止部を設け、当該第２係止部と前記第１係止部が係合することを特徴とする請求項１に記載のシールドケースの取り付け構造。
【請求項３】
前記第１係止部は、シールドケースの一部を切り起こしたシールドケースの切り起こし部であることを特徴とする請求項２に記載のシールドケースの取り付け構造。
【請求項４】
前記第２係止部は、弾性変形することにより前記第１係止部と係合することを特徴とする請求項２又は請求項３に記載のシールドケースの取り付け構造。
【請求項５】
前記シールドケースの内部には、電子部品が収容されることを特徴とする請求項１乃至請求項４に記載のシールドケースの取り付け構造。
【請求項６】
少なくともシールドケースと、当該シールドケースを取り付けるシャーシを有する電子機器において、
前記シールドケースに穴部を設け、前記シャーシに当該穴部と係合する突出部を設けたことを特徴とする電子機器。
【請求項７】
前記シールドケースに第１係止部を設けるとともに、前記シャーシに前記第１係止部と係合する第２係止部を設け、当該第２係止部と前記第１係止部が係合することを特徴とする請求項６に記載の電子機器。
【請求項８】
前記第１係止部は、シールドケースの一部を切り起こしたシールドケースの切り起こし部であることを特徴とする請求項７に記載の電子機器。
【請求項９】
前記第２係止部は、弾性変形することにより前記第１係止部と係合することを特徴とする請求項７又は請求項８に記載の電子機器。
【請求項１０】
前記シールドケースの内部には、電子部品が収容されることを特徴とする請求項６乃至請求項９に記載の電子機器。
【発明の詳細な説明】
【技術分野】
【０００１】
本発明は、プリント配線基板などをシールドするシールドケースをシャーシに取り付けるための取り付け構造に関し、特にシャーシからの取り付け、取り外し作業の容易なシールドケースの取り付け構造に関する。
【背景技術】
【０００２】
従来、回路が実装されたプリント配線基板を、金属板等を用いたシールドケースに収容してシールドすることで、他の回路から或いは他の回路に電磁波等の影響が及ぶことを最小限に抑える工夫がされていた。例えば、特開２００１−２１６５６４号公報に係る高周波電子機器の場合、図８に示すように、高周波回路部５´が構成されたプリント基板３´をシールドケース１´で覆い、シールドケース１´に設けた取付脚１´aをプリント基板３´を介して金属筐体２´に押し付けた状態でビス止めしている。このようにシールドケースのシャーシの固定には、ビスを用いたり、半田や接着剤等を用いたりしていた。
【特許文献１】特開２００１−２１６５６４号公報
【発明の開示】
【発明が解決しようとする課題】
【０００３】
しかし、例えば上記高周波電子機器の場合、シールドケース１´の金属筐体２´への取り付けに際して、金属筐体２´とプリント基板３´とシールドケース１´の適切な位置合わせが必要であり、また固定のためにビス止め作業が必要であった。また、修理などの目的で、金属筐体２´に取り付けられたシールドケース１´をプリント基板３´から取り外す際には、シールドケース１´を金属筐体２´に止めているビス４´をドライバー等の工具を用いて外す必要があった。
【０００４】
このように、従来のシールドケースの取り付け構造においては、シールドケースのシャーシへの取り付けにはビス止めや半田、接着剤を用いた固定が必要であり、コスト高を招くだけでなく、組み立てのために多くの時間と手間を費やしていた。また、修理などの目的で、シールドケースをシャーシから取り外す必要が生じた場合、取り外し作業は容易ではなく、ときには取り外しができないという不都合があった。
【０００５】
本発明は、このような問題に鑑みてなされたもので、組み立てに多くの時間と手間、コストを費やすことなく、シールドケースのシャーシへの取り付け、取り外し作業を容易に行えるようにすることを目的とする。
【課題を解決するための手段】
【０００６】
請求項１の発明は、シャーシにシールドケースを取り付けるシールドケースの取り付け構造において、
前記シールドケースに穴部を設けるとともに、前記シャーシに当該穴部と係合する突出部を設け、当該突出部と前記穴部の係合により前記シャーシが前記シールドケースを保持すること特徴とする。
【０００７】
請求項２に記載の発明は、請求項１に記載のシールドケースの取り付け構造において、前記シールドケースに第１係止部を設けるとともに、前記シャーシに前記第１係止部と係合する第２係止部を設け、当該第２係止部と前記第１係止部が係合することを特徴とする。
【０００８】
請求項３に記載の発明は、請求項１又は請求項２に記載のシールドケースの取り付け構造において、前記第１係止部は、シールドケースの一部を切り起こしたシールドケースの切り起こし部であることを特徴とする。
【０００９】
請求項４に記載の発明は、請求項２又は請求項３に記載のシールドケースの取り付け構造において、前記第２係止部は、弾性変形することにより、前記第１係止部と係合することを特徴とする。
請求項５に記載の発明は、請求項１乃至請求項４に記載のシールドケースの取り付け構造において、前記シールドケースの内部には、電子部品が収容されることを特徴とする。
【００１０】
請求項６に記載の発明は、少なくともシールドケースと、当該シールドケースを取り付けるシャーシを有する電子機器において、
前記シールドケースに穴部を設け、前記シャーシに当該穴部と係合する突出部を設けたことを特徴とする。
【００１１】
請求項７に記載の発明は、請求項６に記載の電子機器において、前記シールドケースに第１係止部を設けるとともに、前記シャーシに前記第１係止部と係合する第２係止部を設け、当該第２係止部と前記第１係止部が係合することを特徴とする。
【００１２】
請求項８に記載の発明は、請求項７に記載の電子機器において、前記第１係止部は、シールドケースの一部を切り起こしたシールドケースの切り起こし部であることを特徴とする。
【００１３】
請求項９に記載の発明は、請求項７又は請求項８に記載の電子機器において、前記第２係止部は、弾性変形することにより、前記第１係止部と係合することを特徴とする。
【００１４】
請求項１０に記載の発明は、請求項６乃至請求項９に記載の電子機器において、前記シールドケースの内部には、電子部品が収容されることを特徴とする。
【発明の効果】
【００１５】
本発明によれば、組み立てに多くの時間と手間、コストを費やすことなく、シールドケースのシャーシへの取り付け、取り外し作業を容易に行うことができる。即ち、シールドケースのシャーシへの取り付けに複数の動作が不要となり、組み立てのために多くの時間と手間を費やす必要がない。また、修理などの目的で、シャーシに取り付けされたシールドケースをシャーシから取り外す必要が生じた場合、取り外し作業を容易に行うことができる。さらに、シールドケースのシャーシへの取り付け作業に、ビスや半田、接着剤等が不要であるため、組み立て時のコストを削減することができる。
【発明を実施するための最良の形態】
【００１６】
本発明の一実施例について、図に沿って詳細に説明する。
【００１７】
図１は、カセットレコーダ、ＣＤプレーヤ及びラジオが一体となっている本実施例の録音再生装置の概観図であり、図１Ａは前方向からの概観図、図１Ｂは後方向からの概観図である。また、図２は、金属シールドケース１が取り付けられた内部プラスチックシャーシ２が録音再生装置の枠体に取り付けられた様子を示す後方向からの概観図である。
【００１８】
図３は、本実施例の金属シールドケース１を示す図である。この金属シールドケース１には、内部に図示しない電子回路が実装されたプリント配線基板が収容されている。この金属シールドケース１は、当該金属シールドケース１に収容されたプリント配線基板に実装された回路と、他の回路の間における電磁波等の往来を遮断するものである。これにより、他の回路から或いは他の回路に電磁波等の影響が及ぶことを最小限に抑えることができる。
【００１９】
この金属シールドケース１は内部プラスチックシャーシ２に取り付けられるが、この金属シールドケース１には、内部プラスチックシャーシ２に取り付けるための突出部としての第１ホック５を係合するための孔部３が左右（内部プラスチックシャーシ２に金属シールドケース１を取り付けるために当該金属シールドケース１を摺動させる方向を前方向とし、後方向及び左右方向は、この前方向に対して相対的に決まるものとする、以下に同じ。）両端付近に４箇所、また、第１係止部としての切り起こし部４が後端中央付近に１箇所設けられている。
【００２０】
図４は、本実施例の内部プラスチックシャーシ２を示す斜視図である。この内部プラスチックシャーシ２には金属シールドケース１が取り付けられるが、この内部プラスチックシャーシ２には、金属シールドケース１に設けられた孔部３と係合するための第１ホック５が４箇所、金属シールドケース１に設けた切り起こし部４を係合するための第２係止部としての第２ホック６が１箇所設けられている。
【００２１】
図５は、本実施例の内部プラスチックシャーシ２に設けられた第１ホック５及び第２ホック６の構造を説明するための概略断面図である。
【００２２】
第１ホック５は、略Ｌ字状の係止部であり、内部プラスチックシャーシ２の一面２Ａの左右両端付近から２箇所ずつ突設されている突起部８の先端に設けられている。第１ホック５は、金属シールドケース１の孔部３に挿嵌可能な大きさに形成され、その自由端５a（図６参照）は後方向に向かって延出している。そして、金属シールドケース１の孔部３を第１ホック５に係合後、この金属シールドケース１を前方向に摺動させることにより、図７Ａに示すように、この第１ホック５が金属シールドケース１の孔部３の周囲のケース部９を挟むことになる。
【００２３】
第２ホック６は、弾性変形する係止部であり、内部プラスチックシャーシ２の上記突起部７を設けている面２Ａに隣接する垂直な面２Ｂの中央付近から、第１ホック５の上記自由端５aの延出方向と同じ方向（後方向）に突出している。第２ホック６は、図７Ｂに示すように、当該第２ホック６の貫通している孔に金属シールドケース１の切り起こし部４を係止するものである。第２ホック２の自由端８は、図７Ｂに示すＣ方向に付勢することによって押し上げ、撓ませることにより、金属シールドケース１の切り起こし部４と第２ホック６との係止を解除するためのものである。
【００２４】
図７は、金属シールドケース１を内部プラスチックシャーシ２に取り付け、及び取り外しする動作を説明するための概略断面図である。
【００２５】
初めに、金属シールドケース１の内部プラスチックシャーシ２への取り付け動作について説明する。
【００２６】
先ず、金属シールドケース１に設けられた４箇所の孔部３を内部プラスチックシャーシ２に設けられた４箇所の第１ホック５に係合する（図７Ａ）。これにより、内部プラスチックシャーシ２に対する金属シールドケース１の左右方向の動きを規制し、左右方向の位置決めをすることができる。次に、この係合された状態を維持しつつ、当該金属シールドケース１を内部プラスチックシャーシ２の第１ホック５上を前方向に摺動させ、金属シールドケース１に設けた１箇所の切り起こし部４を内部プラスチックシャーシ２に設けた１箇所の第２ホック６に係合させる（図７Ｂ）。これにより、内部プラスチックシャーシ２に対する金属シールドケース１の前方向及び後方向の動きを規制し、前方向及び後方向の位置決めをすることができる。これにより、内部プラスチックシャーシ２によって金属シールドケース１の動きが前後左右に規制され、金属シールドケース１が内部プラスチックシャーシ２に完全に固定される。
【００２７】
次に、内部プラスチックシャーシ２からの金属シールドケース１の取り外し動作について説明する。
【００２８】
先ず、金属シールドケース１が係合された第２ホック６の自由端８を図７Ｂに示すＣ方向に付勢することによって押し上げ、撓ませることによって、第２ホック６と当該金属シールドケース１の切り起こし部４との係合を外す（図７Ａ）。これにより、内部プラスチックシャーシ２に対する金属シールドケース１の前方向及び後方向の動きの規制が解除される。次に、この係止を外した状態を維持しつつ、金属シールドケース１を内部プラスチックシャーシ２の第１ホック５上を後方向に摺動し、金属シールドケース１に４箇所設けられた孔部５を４箇所設けられた第１ホック５から抜脱する。これにより、内部プラスチックシャーシ２に対する金属シールドケース１の左右方向及び前方向の動きの規制が解除される。これらの操作によって、内部プラスチックシャーシ２から金属シールドケース１を完全に取り外すことができる。
【００２９】
本実施例の金属シールドケース１の内部プラスチックシャーシ２に対する取り付け、及び取り外し方法によれば、組み立てに多くの時間と手間、コストを費やすことなく、金属シールドケース１の内部プラスチックシャーシ２への取り付け、取り外し作業をスムーズに行うことができる。
【００３０】
尚、本実施例においては特許請求の範囲に記載の穴部が貫通している孔部（孔部３）である場合について説明したが、本発明において前記穴部は貫通していないものや凹んでいる状態の穴部であってもよい。また、本実施例においては特許請求の範囲に記載の第１係止部が略Ｌ字状である場合（第１ホック５）について説明したが、本発明においては略Ｌ字状に限定されるものではない。
【図面の簡単な説明】
【００３１】
【図１】本実施例の録音再生装置の概観図である。
【図２】本実施例の金属シールドケース１が取り付けられた内部プラスチックシャーシ２が録音再生装置の枠体に取り付けられたものの後方向からの概観図である。
【図３】本実施例の金属シールドケース１を示す図である。
【図４】本実施例の録音再生装置の内部プラスチックシャーシ２を示す斜視図である。
【図５】本実施例の内部プラスチックシャーシ２に設けられた第１ホック５及び第２ホック６の構造を説明するための概略断面図である。
【図６】金属シールドケース１及び内部プラスチックシャーシ２の各部の詳細を示す図である。
【図７】金属シールドケース１を内部プラスチックシャーシ２に取り付け、及び取り外しする動作を説明するための概略断面図である。
【図８】従来のシールドケースの取り付け構造を示す図である。
【符号の説明】
【００３２】
１  金属シールドケース
２  内部プラスチックシャーシ
３  孔部
４  切り起こし部
５  第１ホック
６  第２ホック
【図１】
2005228902.tif 000003
【図２】
2005228902.tif 000004
【図３】
2005228902.tif 000005
【図４】
2005228902.tif 000006
【図５】
2005228902.tif 000007
【図６】
2005228902.tif 000008
【図７】
2005228902.tif 000009
【図８】
2005228902.tif 000010